【手続補正書】
【提出日】平成15年12月22日(2003.12.22)
【手続補正１】
【補正対象書類名】明細書
【補正対象項目名】発明の詳細な説明
【補正方法】変更
【補正の内容】
【発明の詳細な説明】
【０００１】
【発明の背景】
（発明の分野）本発明は符号分割多元接続（ＣＤＭＡ）通信システムに関する。より詳細にいうと、本発明は連続波干渉を含む通信環境において短符号を正確に検出するシステムに関する。
【０００２】
【従来技術の説明】
過去１０年間における無線通信システムの利用の劇的な増加に伴って、この種システムに利用可能なＲＦスペクトラムの限られた部分がきわめて重要なリソースとなってきた。ＣＤＭＡ技術を用いる無線通信システムは、時分割多元接続（ＴＤＭＡ）システムおよび周波数分割多元接続（ＦＤＭＡ）システムよりも多くのユーザを収容することによって、上記利用可能なスペクトラムの効率的な利用をもたらす。
【０００３】
ＣＤＭＡシステムにおいては、周波数スペクトラムの同一の部分を全加入者ユニットの交信に共用する。通常は地理的範囲ごとに、一つの基地局が複数の加入者ユニットに通信サービスを提供する。各加入者ユニットのベースバンドデータ信号に拡散符号というデータよりもずっと高い伝送速度の疑似ランダム符号系列を乗算する。その結果、加入者信号は利用可能な帯域幅全域にスペクトラム拡散される。個々の加入者ユニットの通信信号は、各通信リンクに固有の拡散符号を割り当てることによって区別する。ＣＤＭＡシステムにおいて通常の拡散符号より短い符号の送信が有用になる場合がある。
【０００４】
ＣＤＭＡ通信の分野において、短符号の送信の検出に逐次確率比テスト（ＳＰＲＴ）検出方法を用いることは周知である。しかし、連続波（ＣＷ）干渉がある場合は、上記周知のＳＰＲＴ検出方法は多数の偽短符号検出を生じ得る。これらの誤検出は有効短符号の検出を遅らせ、システムの性能を低下させる。
【０００５】
上記ＳＰＲＴ検出方法には背景雑音推算が必要になる。背景雑音推算は、長い疑似ランダム拡散符号をＲＡＫＥ逆拡散器に印加することによって通常行う。ＲＡＫＥ逆拡散器の出力は、確率分布関数（ＰＤＦ）を有する。図１Ａを参照すると、ＣＷ干渉がない状態で長い疑似ランダム拡散符号を用いて計算した雑音についての通常のＰＤＦ背景を示す。曲線３は有効な検出信号が存在する状態での通常のＰＤＦ背景を示す。しかしながら、短符号の送信の期間中にＣＷ干渉が存在する場合は、背景雑音ＰＤＦは曲線２、すなわち曲線１からシフトし有効検出信号対応のＰＤＦ、すなわち曲線３と相似の曲線２になる。雑音推算は、完全にランダムではない短符号がＲＡＫＥに印加されその短符号が反復ＣＷ干渉との間で相関を示し始めるのでずれを生ずる。したがって、ＣＷ干渉があるために曲線２がさらに曲線３方向にシフトするに伴い、ＳＰＲＴ検出方法は無効な雑音を有効な信号として誤検出する。
【０００６】
図１Ｂを参照すると、従来技術の短符号検出器システム１０のブロック図が示してある。この短符号検出器システム１０は加入者ユニットから受信した短符号の検出のために通常は基地局に配置される。短符号、連続波の干渉、その他の形の背景雑音を含む信号を検出器入力ライン１２から短符号検出器システム１０の検出器入力ブロック１４に加える。検出器入力ブロック１４は、Ｍ個の互いに異なる位相を有するＲＡＫＥ復調器を備える。このＲＡＫＥ復調器は入力信号に短いパイロット符号を組み合わせる。このパイロット符号は、基地局がローカルに生成する疑似ランダム符号であり呼のセットアップを開始する加入者が送信する。
【０００７】
検出器入力ブロック１４の第１の出力信号は検出器システム１０の検出ブロック１６に加える。検出ブロック１６はＳＰＲＴ検出方法を実行する。検出ブロック１６の出力信号は出力ライン２０上に生ずる。出力ライン２０への信号は入力ブロック１４の受けた信号の中の短符号の有無についての検出ブロック１６のＳＰＲＴ検出方法による判定結果を表す。
【０００８】
入力ブロック１４の第２の出力信号は雑音推算器、すなわち長い疑似ランダム符号と入力信号との組合せにより背景雑音推算を実行する補助ＲＡＫＥ復調器（ＡＵＸ  ＲＡＫＥ）内蔵の雑音推算器１８に加える。ブロック１８の実行した背景雑音推算の結果がＰＤＦであり、このＰＤＦを検出ブロック１６のＳＰＲＴ検出方法にかける。
【０００９】
図２を参照すると、従来技術の短符号検出方法４０の流れ図が示してある。この検出方法４０は、無線通信システムで送信されてきた短符号の検出に用いる。たとえば、この短符号検出方法４０は、短符号検出器システム１０の検出ブロック１６内において入力ライン１２の入力信号の中の短符号を検出するのに適している。
【００１０】
短符号検出方法４０の実行は、開始ステップ４２で開始してステップ４４に進み、このステップにおいてＲＡＫＥ１４のＭ個の互いに異なる位相の１つを選択する。次に、短符号検出方法４０は、ステップ４６に進み、このステップにおいてＡＵＸ  ＲＡＫＥ（図１Ｂの雑音推算器１８内）による背景雑音推算を更新する。この信号を雑音推算器１８から検出ブロック１６に加える。ステップ５０では、入力ブロック１４の受けた入力ライン１２の被選択位相の信号のサンプルを短符号検出方法４０による演算用に検出ブロック１６に加える。
【００１１】
図３Ａを参照すると、短符号検出方法４０の動作の図解７０が示してある。合格閾値７４および不合格閾値７６が二つの尤度比８０および８４とともに示してある。尤度比は、当業者に周知の判定変数である。通信システムにおける信号の有無の判定に有用である。尤度比８０および８４は、閾値７４および７６の間のほぼ中央に初期値を有する。これらの値は、短符号の有無の判定のための閾値７４および７６との比較に備えて短符号検出方法４０で繰り返し調節する。
【００１２】
尤度比８０および８４の初期値は閾値７４および７６の間のほぼ中央にあるが、尤度比８０および８４は検出方法４０の計算による判定に応じて正方向または負方向に調節する。位相の尤度比が増加とともに合格閾値７４の方向に移動するに伴って、短符号ありとの判定の信頼度のレベルは判定に十分な程度に上がる。尤度比が合格閾値７４を超えれば、その位相内に短符号ありと判定するに充分なレベルの信頼度が得られる。尤度比が減少とともに不合格閾値７６の方向に移動するに伴って、その位相内に短符号なしとの判定の信頼度のレベルが上がる。尤度比が不合格閾値７６を下回れば、短符号なしとの判定に充分なレベルの信頼度が得られる。
【００１３】
図２に戻ると、現在の位相の尤度比をステップ５４で更新する。この種の尤度比がＲＡＫＥのＭ個の互いに異なる位相の各々について計算されることは当業者には理解されよう。現在の位相の尤度比はステップ４６における背景雑音推算およびステップ５０における入力サンプル取込みを考慮して計算する。
【００１４】
ステップ５６において、Ｍ個の位相すべての尤度比が不合格閾値７６以下であるかの判定を行う。不合格閾値７６以上の尤度比が一つでもあれば、受信送信信号内に短符号が存在する可能性がある。その場合は、短符号検出方法４０の実行をステップ５８に進める。ステップ５８では、検出方法４０で計算した尤度比の中に合格閾値７４以上のものがあるか否かを判定する。合格閾値７４以上の尤度比があるとステップ５８で判定された場合は、ステップ６０で短符号ありと判定される。短符号検出器システム１０の検出ブロック１６内において検出方法４０が実行される場合は、判定出力ライン２０から判定結果を示すことができる。
【００１５】
ステップ５６における判定ですべての尤度比が不合格閾値７６以下であると判定された場合は、受信信号のＭ個の位相のいずれにも短符号が存在しない可能性が高い。したがって検出方法４０はステップ５２に進み、このステップにおいてＭ個の位相の尤度比をクリアする。ステップ４８では、ＲＡＫＥで用いるローカル拡散符号、すなわちパイロット符号の位相を進め、ステップ４４で次のＲＡＫＥ位相を選択する。
【００１６】
不合格閾値７６以上の尤度比はあるものの合格閾値７４以上の尤度比がないとステップ５８が判定した場合は、検出方法４０は経路５９経由で進み、その信号の位相の新たなサンプルを取得する（ステップ５０）。このようにして新たなサンプルの取得および処理を行う経路５９経由の検出方法４０の反復分岐は、閾値７４および７６に近づく向きまたは遠ざかる向きの各種の尤度比の調整をもたらす。短符号検出方法４０は、（１）尤度比の一つが合格閾値７４を超えるまで、または（２）すべての尤度比が不合格閾値７６を下回るようになるまで、経路５９経由で繰返し進行する。これら二つの事象のいずれか一方が生じたときに限って、短符号の存在の有無を判定するに充分な信頼度のレベルがあることになる。これら二つの事象の一方の発生に必要なサンプルの数が短符号検出方法４０の効率の尺度となる。
【００１７】
経路５９経由の反復分岐は、短符号ありの尤度を増加または減少させる。たとえば、図３Ａに示した第１の尤度比８０の場合は、経路５９経由の反復分岐によって通常は不合格閾値７６の方向に尤度比８０の調整が行われる。検出方法４０の動作の継続実行により尤度比８０が不合格閾値７６以下になると、現在の位相内には短符号なしと判定するのに充分なレベルの信頼度が得られる。また、この経路５９を経由する反復分岐は短符号ありとの尤度を増加させる。たとえば、図３Ａに示した第２の尤度比８４の場合は、相続くサンプルによって、概ね合格閾値７４の向きに尤度比８４の調節を行う。経路５９経由の反復分岐の継続により尤度比８４が合格閾値７４を超えると、現在の位相内に短符号があるとの判定に充分なレベルの信頼度が得られる。
【００１８】
図７は、ＣＷ干渉の存在下で短符号を捕捉するのに検出方法４０を用いた場合に必要となる平均的なサンプル数のグラフである。このグラフは、ＣＷ干渉の振幅が背景雑音の大きさの０．２倍以上の場合に短符号の捕捉に必要なサンプルの数が急激に増加することを示している。背景雑音の大きさの０．６倍以上のＣＷ干渉についてサンプル数の減少が見られるが、これは短符号検出性能の改善を示すものではなく、むしろこの点以降で誤検出が生じ始めることを示している。
【００１９】
図７に示すとおり、低レベルＣＷ背景干渉は検出方法４０などの従来のＳＰＲＴ方法を用いた場合、短符号捕捉時間を長引かせる。また、ＣＷ干渉のレベルがより高くなると、短符号の誤検出の原因となり、有効短符号の検出のための捕捉時間を許容不可能なほど長くする。出願人は、ＣＷ背景雑音を含むＣＤＭＡ送信信号の中の短符号を確実迅速に検出できる短符号検出方法の必要性を認識するに至った。
【００２０】
米国特許第５，７９６，７７６号は有効な符号の存在を検出するための慣用のＳＰＲＴ方法を用いたシステムを記載している。この特許は短符号または長符号の利用も記載している。同様に、ＰＣＴ国際出願公開第ＷＯ９７／５０１９４号はＣＤＭＡシステムにおける初期電力立ち上げの制御のために短符号を用いたシステムを記載している。
【００２１】
【発明の概要】
ＣＤＭＡ技術による通信システムにおける送信信号、すなわち各々が一定周期で反復送信される複数の短符号を含む送信信号を受信する方法を開示する。この方法は、送信されてきた信号とともに受信され得るＣＷ干渉の阻止に特に有用である。この方法は、受信信号の複数の位相に短符号があることを各位相についての尤度比の計算によって検出するＳＰＲＴを用いることを含む。調べた信号位相の各々について尤度比の更新をその値が検出短符号の存在と矛盾しない閾値に達するまで、または短符号の不存在と矛盾しない閾値にその値が達するまで行う。尤度比はその信号の確率分布関数（ＰＤＦ）と背景雑音のＰＤＦの比較である。ＰＤＦはその信号をＲＡＫＥ逆拡散器を通過させることによって計算する。背景雑音ＰＤＦは、ＲＡＫＥ内で現在の短パイロット符号と入力信号とを組み合わせることによって計算する。パイロット符号が変化する場合は新たな背景雑音ＰＤＦを計算する。
【００２２】
【好ましい実施の形態】
同じ構成要素には全図を通じて同じ番号を付けて示した図面を参照して本発明を次に説明する。
【００２３】
図４Ａを参照すると、本発明の短符号検出システム４００のブロック図が示してある。短符号、連続波干渉ほかの背景雑音を含む信号を検出器入力ライン４１２経由で短符号検出システム４００に加え、その信号を検出器入力ブロック４１４で受ける。検出器入力ブロック４１４はＭ個の互いに異なる位相を有するＲＡＫＥ復調器を含む。
【００２４】
検出器入力ブロック４１４の第１の出力信号を検出器システム４００の検出ブロック４１６に印加する。検出ブロック４１６はＳＰＲＴ検出方法を含む。検出ブロック４１６の出力信号は判定出力ライン４２０上に得られる。判定出力ライン４２０の信号は、入力ブロック４１４の受信信号における短符号の有無を表す検出ブロック４１６のＳＰＲＴ検出方法による判定を表す。検出器入力ブロック４１４の第２の出力信号は雑音推算器４１８、すなわち加入者から送信されてきたものと同一の短符号を用いる別個のＲＡＫＥ復調器（ＡＵＸ  ＲＡＫＥ）を包含する雑音推算器４１８に加える。後述のとおり、検出ブロック４１６の中のＳＰＲＴ検出方法がこのボディおよび雑音推算を用い、有効な信号符号をより正確に検出する。
【００２５】
図４Ｂを参照すると、本発明による短符号検出方法１００が示してある。この短符号検出方法１００は、受信信号の種々の位相の中の短符号８８ａ−ｃを検出するように図４Ａの短符号検出システム４００に用いることができる。短符号検出方法１００の実行はステップ１０２で開始し、ステップ１０４に進んで背景雑音推算を行う。背景雑音推算は、ＲＡＫＥ４１４において入力信号と短符号、すなわち基地局への呼のセットアップの開始に加入者が用いる短符号と同一の短符号との組合せによって計算する。
【００２６】
図３Ｂを参照すると、基地局への送信に加入者が用いる短符号８８ａ−ｃのブロック図８６が示してある。第１の短符号８８ａはたとえばパイロットＲＡＫＥへの入力として３ミリ秒の期間中にわたって用いる。この３ミリ秒の期間内に基地局がパイロット信号を検出しなかった場合は、短符号８８ａを新たな短符号８８ｂに更新する。符号の更新には更新期間９２ｂを要する。想定外の有害な相互相関効果を回避するために短符号は３ミリ秒ごとに更新する。
【００２７】
次に詳述するとおり、パイロット符号の検出に用いる短符号８８ａ−ｃが変わるごとに新たな背景雑音推算値を計算する。背景雑音推算に本発明は周期的に更新される短符号を用いるので、連続波の干渉が存在する場合でも、実際の背景雑音により近似したＰＤＦを生ずる。したがって、図１Ａに示すとおり、ＣＷ干渉の存在下における背景雑音を表す曲線２は有効な信号を表す曲線３からより容易に区別できる。
【００２８】
ステップ１０８を参照すると、ＲＡＫＥ１４の複数の位相Ｍを選択して各位相についての信号サンプルをステップ１１６で得る。受信入力信号は、ＲＡＫＥにおいて短パイロット符号のＭ個の互いに異なる位相を用いて逆拡散する。本発明においては、好ましいＲＡＫＥ１４の位相の数Ｍを８とする。しかしながら、任意の数を選択できることを理解されたい。ステップ１２８において、Ｍ個の位相の各々に関する尤度比をステップ１０４の背景雑音推算およびステップ１１６の新たなサンプルに従って計算する。本発明の好ましい実施例はＲＡＫＥ１４の８個の位相を用いるので、各位相について計算を並行的に実行する。すなわち、８個の別個の尤度比を計算し維持する。ステップ１３８において、Ｍ個の位相すべての尤度比が不合格閾値７６以下であるか否かの判定を行う。判定１３８が否であれば、Ｍ個の位相の少なくとも一つに短符号があり得る。その場合は、合格閾値７４を超える尤度比の有無について別の判定１４４を行う。判定１４４が有であれば、短符号が存在することになり、短符号検出方法１００の実行がステップ１５２に進んでパイロット信号の捕捉を表示する。
【００２９】
ステップ１３８において、すべての尤度閾値が不合格閾値７６以下であると判定した場合は、現在のＭ個の位相のいずれにも短符号が存在しないと判定するに充分な高さの信頼度レベルが存在する。このような状況の下で、検出方法１００は枝経路１４０経由でステップ１３４に進む。ステップ１３４で、３ミリ秒の期間が経過したか否かの判定を行う。
【００３０】
判定ステップ１３４における３ミリ秒の期間は、パイロット信号の捕捉に加入者ユニットが用いる短符号の変更と同期している。この明細書で用いた３ミリ秒の期間は例示のみを目的としたものである。パイロット信号の捕捉のための短符号の更新に用いる時間長が背景雑音の更新のために本発明方法に従って用いる時間長と同一であることは当業者には明らかであろう。特定の時間長を本発明が不可欠としているわけではない。
【００３１】
判定ステップ１３４による判定が３ミリ秒のタイマのタイムアウトを判定していない場合は、同一の背景雑音推算を用いて検出を継続する。この状況の下で、短符号検出方法１００の実行はステップ１２０に直接に進み、そのステップ１２０において現在のＭ個の位相についてのすべての尤度比をクリアする。つぎにステップ１１２で符号位相を進め、Ｍ個の新たな位相を処理し、それによってステップ１０８および短符号検出方法１００を繰り返す。
【００３２】
ステップ１３４において３ミリ秒の時間が経過したと判定した場合には、タイマをリセットしステップ１３２に示すとおり背景雑音推算の高速更新を実行する。背景雑音推算は新しい短符号を用いてステップ１０４に関する上述の方法に従って実行する。３ミリ秒の期間の経過は新たな短符号の使用と一致する。
【００３３】
図３Ｂに戻ると、各短符号８８ａ−ｃは新たな短符号８８ａ−ｃの使用の開始時にそれぞれの更新期間９２ａ−ｃを有するので、ステップ１３２における背景雑音推算はその短符号についてのそれぞれの更新期間９２ａ−ｃの期間中に実行される。ステップ１３２のサンプルは、上記期間の経過後に迅速に得る必要がある。本発明の好ましい実施例では、新たな短符号８８ａ−ｃの使用から数シンボル期間以内にサンプルを得る。
【００３４】
背景雑音を更新する本発明の方法は、サンプルと同一の短符号時間スロットを用いる雑音推算を有するひと組のサンプルについて短符号検出方法１００を施す結果になる。サンプルと同一の時間スロットからの雑音推算を用いるので、短符号検出方法１００の精度は向上する。この背景雑音推算をステップ１２４において背景雑音ＰＤＦの更新に用いる。ステップ１２０ですべての尤度比をクリアする。ステップ１１２でローカル符号の位相を進め、新たな位相およびサンプルを処理し、それによってステップ１０８を繰り返し短符号検出方法１００を再び開始する。
【００３５】
図４Ｂに戻ると、尤度比が不合格閾値７６以上ではあるものの合格閾値７４以上のものはないとステップ１４４で判定した場合は、短符号検出方法１００は枝経路１５０経由でステップ１４８に進む。ステップ１４８では３ミリ秒の期間が経過したか否かの判定を行う。その３ミリ秒の期間が経過していなければ、検出方法１００は現在の背景雑音推算を用いて動作を継続し、ステップ１１６でＭ個の位相の各々の新たなサンプルを取り込む。３ミリ秒の期間が経過した場合は、その期間経路は新たな短符号を使用中であることを表す。したがって、ステップ１４６でタイマをリセットするとともに背景雑音の高速更新を行い、ステップ１４２で背景雑音推算を調整し、さらにステップ１１６で各位相について新たなサンプルを取り込む。
【００３６】
上述のとおり、検出方法１００の実行の経路が、現在の尤度比全部が不合格閾値以下であって枝経路１４０を通る場合も、現在の尤度比全部が合格閾値以下であって枝経路１５０を通る場合も、検出方法１００を施す度ごとに上記３ミリ秒の期間を試験する。
【００３７】
図５のグラフ１８０を参照すると、ＣＷの大きさの複数の値について従来技術の短符号検出方法４０による誤捕捉の確率をグラフ１８０で示している。従来の短符号検出方法４０による誤捕捉の確率は、ＣＷ干渉が背景雑音の正規化値の０．５倍で急激に増加し始め、背景雑音の０．８倍になると１００パーセントに達する。
【００３８】
一方、図６を参照すると、本発明の短符号検出方法１００による誤捕捉の確率を複数のＣＷ干渉の大きさについて第２のグラフ２００で示す。図示のとおり、この短符号検出方法１００による誤捕捉の確率はＣＷ干渉が背景雑音の大きさの４倍の場合でも実質的に零になる。したがって、本発明は従来技術の短符号検出方法４０に比べて誤捕捉防止性能に著しい改善をもたらす。
【００３９】
ここで図７および図８を参照すると、短符号の有無の判定のために上記短符号検出方法４０および１００が必要とする平均サンプル数を表す二つのグラフ２２０および２４０でそれぞれ示す。当業者には明らかなとおり、この判定に必要となるサンプル数が小さいほど、方法の性能が優れている。連続波の干渉が増大するに従って、従来技術の短符号検出方法４０は実質的により多くのサンプルを短符号の検出に必要とする。図７に示すとおり、ＣＷ干渉が増大すると、平均サンプル数に１桁の大きさの増加があり得る。背景雑音の大きさの０．６倍以上のＣＷ干渉についてグラフ２２０に示すサンプル数の減少は短符号検出性能の改善を示すものではなく、むしろ、この点以降における誤検出の発生の始まりという事実を反映している。
【００４０】
これとは対照的に、図８に示すとおり、本発明の検出方法１００が必要とする平均サンプル数は連続波の大きさの広い範囲にわたって実質的に一定である。さらに、検出方法１００が必要とするサンプル数も、従来技術の検出方法４０の場合に所要サンプル数の急激な増加を生じていたＣＷの大きさよりもずっと大きいＣＷに対して実質的に低い値に留まる。本発明では短符号の誤検出は実質的になくなる。
【００４１】
好ましい実施例に関する上述の説明は当業者による本発明の実施を可能にするために行ったものである。当業者には、これら実施例への種々の改変が自明であり、この明細書に述べた概括的な原理を格別の考案力を要することなく上記以外の実施態様に適用できる。したがって、この明細書に示した実施例にこの発明を限定することを意図するものではなく、開示した原理および特徴に矛盾しない最大範囲に解釈されるべきものである。
【図面の簡単な説明】
【図１Ａ】
受信信号および背景雑音の確率分布関数を示す。
【図１Ｂ】
従来技術の短符号検出器システムを示す。
【図２】
図１Ｂの短符号検出器システムによる短符号検出用に適した従来技術の短符号検出方法の流れ図である。
【図３Ａ】
短符号検出方法用に適した尤度比および判定閾値を示す。
【図３Ｂ】
短符号のブロック図である。
【図４Ａ】
本発明の好ましい実施例を示す。
【図４Ｂ】
本発明の短符号検出方法の流れ図である。
【図５】
図１に示した従来技術の短符号検出方法における誤検出の確率のグラフである。
【図６】
図４に示した短符号検出方法における誤検出の確率のグラフである。
【図７】
図１に示した従来技術の短符号検出方法における平均サンプル数のグラフである。
【図８】
図４に示した短符号検出方法における平均サンプル数のグラフである。
【符号の説明】
１０        短符号検出器システム
１４        検出器入力ブロック（逆拡散器ＲＡＫＥ）
１６        検出ブロック
１８        背景雑音推算
８８ａ、８８ｂ、８８ｃ    短符号
９２ａ、９２ｃ            更新期間
４２        スタート
４４        Ｍ個の位相を選択する（ＲＡＫＥ内のＭ個の位相）
４６        背景雑音推算を更新する
５０        各位相についてサンプルを取り込む
５４        各位相について尤度比をインクリメントする
５６        すべての尤度比が不合格閾値を下回っているか？
５８        合格閾値を超える尤度比はあるか？
５２        すべての尤度比をクリアする
４８        符号位相Ｍ個分進める
６０        捕捉
１０２      スタート
１０４      背景雑音推算を更新する
１０８      Ｍ個の位相を選択する（ＲＡＫＥ内のＭ個の位相）
１１６      各位相についてサンプルを取り込む
１２８      各位相について尤度比をインクリメントする
１３８      すべての尤度比が不合格閾値を下回っているか？
１４４      合格閾値を超える尤度比はあるか？
１４８      ３ミリ秒タイマはタイムアウトしたか（新たな短符号か）？
１４６      背景雑音推算を高速更新する
１４２      ＰＤＦを更新する
１３４      ３ミリ秒タイマはタイムアウトしたか（新たな短符号か）？
１３２      背景雑音推算を高速更新する
１２４      ＰＤＦを更新する
１２０      すべての尤度比をクリアする
１１２      符号位相をＭ個分進める
１５２      捕捉